(57)【要約】【課題】デジタルカメラ画像のバックアップにおいて、簡便な方法で、重複書き込みを防止する。【解決手段】ファイル処理装置（例えば、印刷装置）は、バックアップ元の記録媒体（メモリカード）に記録されているファイルと、バックアップ先の記録媒体（ＣＤ−Ｒ）に記録されているファイルとが同一か否かを判定する同一性判定手段と、同一性判定手段により同一と判定されたファイルをバックアップの対象から除外する手段とを備えている。同一性判定手段は、同一ファイル名のファイルに対して、ファイルのヘッダ（Ｅｘｉｆヘッダ）が同一か否かによりファイルが同一か否かを判定する。ヘッダそのものでなくてもチェックサムやＣＲＣ値を比較してもよい。【選択図】図１
2007172113.tif 000002
【特許請求の範囲】
【請求項１】
ファイル処理装置であって、
バックアップ元の記録媒体に記録されているファイルと、バックアップ先の記録媒体に記録されているファイルとが同一か否かを判定する同一性判定手段と、
前記同一性判定手段により同一と判定されたファイルをバックアップの対象から除外する手段とを備え、
前記同一性判定手段は、
ファイルのヘッダが同一か否かによりファイルが同一か否かを判定する
ことを特徴とするファイル処理装置。
【請求項２】
請求項１において、
前記ファイルは、Ｅｘｉｆ形式のファイルである
ことを特徴とするファイル処理装置。
【請求項３】
請求項１において、
前記同一性判定部は、
ファイルのヘッダを基に予め定めた計算により生成される値を比較することにより、ファイルが同一か否かを判定する
ことを特徴とするファイル処理装置。
【請求項４】
請求項１において、
前記同一性判定手段は、
前記バックアップ先の記録媒体に、前記バックアップ元の記録媒体に記録されているファイルとファイル名が同じファイルがある場合に、ファイルが同一か否かを判定する処理を行う
ことを特徴とするファイル処理装置。
【請求項５】
ファイル処理装置であって、
バックアップ先の記録媒体に、バックアップ元の記録媒体に記録されているファイルと、同一のファイルが存在するか否か判定する同一性判定手段と、
前記同一性判定手段によりヘッダが同一のファイルが存在する場合、そのファイルをバックアップの対象から除外する手段とを備え、
前記同一性判定手段は、
ファイル全体のデータから予め定めた計算により生成される値を比較してファイルが同一か否か判定する
ことを特徴とするファイル処理装置。
【請求項６】
印刷装置であって、
デジタルカメラで撮影された画像データのファイルが記録された第１の記録媒体からファイルを読み込む第１のファイル読込手段と、
バックアップ用の第２の記録媒体に記録されているファイルを読み込む第２のファイル読込手段と、
前記第２の記録媒体に、前記第１の記録媒体に記録されているファイルと同一のファイルが存在するか否かを判定する同一性判定手段と、
前記同一性判定手段により同一のファイルが存在すると判定された場合、前記第１の記録媒体に記録されている同一と判定されたファイルを、バックアップの対象から除外する手段とを備え、
前記同一性判定手段は、
ファイルのヘッダが同一か否かによりファイルが同一か否か判定する
ことを特徴とする印刷装置。
【請求項７】
印刷装置であって、
デジタルカメラで撮影された画像データのファイルが記録された第１の記録媒体からファイルを読み込む第１のファイル読込手段と、
バックアップ用の第２の記録媒体に記録されているファイルを読み込む第２のファイル読込手段と、
前記第２の記録媒体に、前記第１の記録媒体に記録されているファイルと同一のファイルが存在するか否かを判定する同一性判定手段と、
前記同一性判定手段により同一のファイルが存在すると判定された場合、前記第１の記録媒体に記録されている同一と判定されたファイルを、バックアップの対象から除外する手段とを備え、
前記同一性判定手段は、
ファイル全体のデータから予め定めた計算により生成される値を比較してファイルが同一か否か判定する
ことを特徴とする印刷装置。
【請求項８】
ファイル処理装置のファイル処理方法であって、
バックアップ元の記録媒体に記録されているファイルと、バックアップ先の記録媒体に記録されているファイルとが同一か否かを判定する同一性判定ステップと、
前記同一性判定ステップにより同一と判定されたファイルをバックアップの対象から除外するステップとを備え、
前記同一性判定ステップは、
ファイルのヘッダが同一か否かによりファイルが同一か否かを判定する
ことを特徴とするファイル処理方法。
【請求項９】
ファイル処理装置のファイル処理方法であって、
バックアップ先の記録媒体に、バックアップ元の記録媒体に記録されているファイルと、同一のファイルが存在するか否か判定する同一性判定ステップと、
前記同一性判定手段によりヘッダが同一のファイルが存在する場合、そのファイルをバックアップの対象から除外するステップを備え、
前記同一性判定ステップは、
ファイル全体のデータから予め定めた計算により生成される値を比較してファイルが同一か否か判定する
ことを特徴とするファイル処理方法。
【発明の詳細な説明】
【技術分野】
【０００１】
本発明は、バックアップ時のファイルの処理方法、それを用いるファイル処理装置及び印刷装置に関する。
【背景技術】
【０００２】
デジタルカメラの撮影画像が記録されたメモリカード内のファイルを、ＣＤ−Ｒなどにバックアップする装置が知られている（特許文献１参照）。かかる装置では、バックアップする毎に、新規にフォルダ（「００１」、「００２」、「００３」等の名称のフォルダ）を作成し、そのフォルダにメモリカード内の全てのファイルを格納する（図９の「１回目」参照）。
【０００３】
【特許文献１】特開２００５−２１０４３３号公報
【発明の開示】
【発明が解決しようとする課題】
【０００４】
ところで、ユーザがメモリカード内のファイルを消去しないで再びデジタルカメラにより撮影すると、メモリカードに新たなファイルが追加されることになる。かかる場合でも、従来の装置では、バックアップの要求を受け付けると、新規にフォルダを作成して、そのフォルダにメモリカード内の全てのファイルを格納する（図９の「２回目」参照）。したがって、同一ファイルが重複して格納され、記録容量が無駄に消費される。
【０００５】
この点、同一ファイルを見つける方法として、ファイル名を比較する方法が考えられるが、デジタルカメラで撮影された画像ファイルは、通常ＤＣＦ（Design rule for Camera File system）規格に則りファイル名が決定されているので、異なる画像でも同じファイル名である場合がある。したがって、ファイル名を調べるだけでは、同一画像のファイルかどうかは分からない。一方で、同一性の判断のために複雑な処理を行うのは現実的ではない。
【０００６】
そこで、本発明は、簡便な方法で、バックアップ時の重複書き込みを防止することにある。
【課題を解決するための手段】
【０００７】
上記目的を達成するため、本発明の第１は、ファイル処理装置であって、
バックアップ元の記録媒体に記録されているファイルと、バックアップ先の記録媒体に記録されているファイルとが同一か否かを判定する同一性判定手段と、
前記同一性判定手段により同一と判定されたファイルをバックアップの対象から除外する手段とを備えている。そして、前記同一性判定手段は、ファイルのヘッダが同一か否かによりファイルが同一か否かを判定する。
【０００８】
前記ファイルは、Ｅｘｉｆ（Exchangeable Image File Format for digital still cameras、登録商標）形式のファイルであってもよい。
【０００９】
また、前記同一性判定部は、ファイルのヘッダを基に予め定めた計算により生成される値（例えば、チェックサムやＣＲＣ値）を比較することにより、ファイルが同一か否かを判定するようにしてもよい。
【００１０】
また、前記同一性判定手段は、前記バックアップ先の記録媒体に、前記バックアップ元の記録媒体に記録されているファイルとファイル名が同じファイルがある場合に、ファイルが同一か否かを判定する処理を行うようにしてもよい。
【００１１】
また、本発明の第２は、ファイル処理装置であって、
バックアップ先の記録媒体に、バックアップ元の記録媒体に記録されているファイルと、同一のファイルが存在するか否か判定する同一性判定手段と、
前記同一性判定手段によりヘッダが同一のファイルが存在する場合、そのファイルをバックアップの対象から除外する手段とを備えている。そして、前記同一性判定手段は、ファイル全体のデータから予め定めた計算により生成される値（例えば、チェックサムやＣＲＣ値）を比較してファイルが同一か否か判定する。
【００１２】
また、本発明の第３は、印刷装置であって、
デジタルカメラで撮影された画像データのファイルが記録された第１の記録媒体からファイルを読み込む第１のファイル読込手段と、
バックアップ用の第２の記録媒体に記録されているファイルを読み込む第２のファイル読込手段と、
前記第２の記録媒体に、前記第１の記録媒体に記録されているファイルと同一のファイルが存在するか否かを判定する同一性判定手段と、
前記同一性判定手段により同一のファイルが存在すると判定された場合、前記第１の記録媒体に記録されている同一と判定されたファイルを、バックアップの対象から除外する手段とを備えている。そして、前記同一性判定手段は、ファイルのヘッダが同一か否かによりファイルが同一か否か判定する。
【００１３】
また、本発明の第４は、印刷装置であって、
デジタルカメラで撮影された画像データのファイルが記録された第１の記録媒体からファイルを読み込む第１のファイル読込手段と、
バックアップ用の第２の記録媒体に記録されているファイルを読み込む第２のファイル読込手段と、
前記第２の記録媒体に、前記第１の記録媒体に記録されているファイルと同一のファイルが存在するか否かを判定する同一性判定手段と、
前記同一性判定手段により同一のファイルが存在すると判定された場合、前記第１の記録媒体に記録されている同一と判定されたファイルを、バックアップの対象から除外する手段とを備えている。そして、前記同一性判定手段は、ファイル全体のデータから予め定めた計算により生成される値を比較してファイルが同一か否か判定する。
【発明を実施するための最良の形態】
【００１４】
本発明の実施の形態について図面を参照して説明する。
【００１５】
図１は、本発明の一実施形態が適用された印刷装置の概略構成図である。本実施形態の印刷装置は、ホストコンピュータなしで可搬性の記録媒体（メモリカード）４５と直接接続して印刷するいわゆるダイレクトプリンタである。ただし、印刷装置は、ホストコンピュータと接続し、プリンタドライバから制御命令を受けて印刷を実行する機能も備えている。また、デジタルカメラがホストとなって、印刷を実行する機能も備えている。
【００１６】
図１に示すように、印刷装置は、印刷のための様々な処理を行うコントローラ１０と、操作パネル２０と、印刷を実行する印刷エンジン３０と、メモリカード読書装置４０と、バックアップ用記録媒体読書装置５０とを備えている。
【００１７】
コントローラ１０は、主制御装置であるＣＰＵ１０１と、プログラム等が記録されたＲＯＭ１０２と、メインメモリとしてデータ等を一時的に格納するＲＡＭ１０３と、操作パネル２０等との入出力を制御するインタフェース１０５と、各装置間の通信経路となるシステムバス１０６とを備えて構成される。なお、インタフェース１０５は、各処理を専用に行うように設計されたＡＳＩＣとすることができる。
【００１８】
操作パネル２０は、液晶表示装置、操作ボタン等から構成され、ユーザから、レイアウトの指示を受け付けたり、印刷対象の画像ファイルの選択を受け付けたり、メモリカード内のファイルのバックアップ要求を受け付けたりするユーザインタフェース機能を担っている。
【００１９】
メモリカード読書装置４０は、メモリカード４５に記録されたファイルを読み出し、コントローラ１０に送る。また、コントローラ１０の命令に従って、メモリカード４５に記録されているファイルを削除したり、書き換える処理を行う。
【００２０】
バックアップ用記録媒体読書装置４０は、バックアップ用記録媒体（例えば、ＣＤ−Ｒ、ＣＤ−ＲＷ、ＤＶＤ−Ｒ、ＤＶＤ−ＲＷなど）５５に記録されているファイルを読み出し、コントローラ１０に送る。また、コントローラ１０の命令に従って、バックアップ用記録媒体５５に記録されているファイルを削除したり、書き換える処理を行う。
【００２１】
つぎに、コントローラ１０の特徴的な機能構成について図２のブロック図を参照して説明する。
【００２２】
図２は、コントローラ１０の機能構成の一例を示すブロック図である。各機能部は、ソフトウェアあるいはハードウェア的に実現することができる。
【００２３】
図示するように、コントローラ１０は、指示解析部１１１と、同一性判断部１１２と、バックアップ処理部１１３とを備えている。
【００２４】
指示解析部１１１は、操作パネル２０を介して入力されたユーザからの要求を解析し、その要求に応じた処理がなされるように、各機能部に命令する処理を行う。例えば、ファイルのバックアップ要求を受け付けると、バックアップ処理部１１３にバックアップのための処理を行うように指示する。
【００２５】
同一性判断部１１２は、メモリカード４５に記録されているファイルと、バックアップ用記録媒体５５に記録されているファイルとの同一性を判断する。
【００２６】
バックアップ処理部１１３は、メモリカード４５に記録されているファイルを、バックアップ用記録媒体５５に記録し、ファイルのバックアップをとる処理を行う。また、バックアップに先立って、同一性判断部１１２に、メモリカード４５内のファイルとバックアップ用記録媒体５５内のファイルとの同一性の判断をさせ、バックアップ用記録媒体５５に同一のファイルが重複記録されないようにする。
【００２７】
＜動作の説明＞
つぎに、上記のように構成される印刷装置の動作について説明する。本実施形態の印刷装置は、上記のとおり、メモリカード４５に記録されているファイルをバックアップ用記録媒体５５にバックアップする機能を備えている。さらに、バックアップ用記録媒体５５への同一のファイルの重複書き込みを防止する機能も備えている。
【００２８】
印刷装置は、重複書き込みを防止するために、ファイルのヘッダの情報を利用する。
【００２９】
ここで、メモリカード４５に記録されるファイルのフォーマットについて説明する。メモリカード４５には、デジタルカメラで撮影された画像データのファイルが格納される。このファイルは、電子情報技術通産業協会（ＪＥＩＴＡ）によって定められたＥｘｉｆ（Exchangeable Image File Format for digital still cameras、登録商標）形式のファイル（「Ｅｘｉｆファイル」）である。
【００３０】
図３は、Ｅｘｉｆファイルの構成を示す図である。Ｅｘｉｆファイルは、通常、ヘッダ７１と、画像データ７２とで構成されている。ヘッダ７１には、画素数、圧縮モード、撮影日時、機種名、絞り値、色空間などの情報が格納されている。画像データ７２には、サムネイル画像データと、主画像データとが格納されている。
【００３１】
図４は、印刷装置のファイルのバックアップ時の処理の流れを示すフロー図である。
【００３２】
このフローは、指示解析部１１１により、ユーザから操作パネル２０を介して、バックアップの要求を受け付けると開始される。
【００３３】
バックアップ処理部１１３は、メモリカード４５に記録されているファイルを順番に一つ読み込む（Ｓ１１）。そして、ヘッダを抽出し（Ｓ１２）、ヘッダから撮影日を特定する（Ｓ１３）。
【００３４】
次に、バックアップ処理部１１３は、バックアップ用記録媒体５５に、Ｓ１３で特定した撮影日に相当するフォルダが存在するか否か判定する（Ｓ１４）。そのようなフォルダが存在しない場合（Ｓ１４：Ｎ）、バックアップ用記録媒体５５に、撮影日のフォルダを作成する（Ｓ１５）。そして、そのフォルダに、Ｓ１１で読み込んだファイルを格納し（Ｓ１６）、Ｓ２１の処理に移行する。
【００３５】
一方、バックアップ用記録媒体５５に、Ｓ１３で特定した撮影日に相当するフォルダが存在する場合（Ｓ１４：Ｙ）、バックアップ処理部１１３は、そのフォルダ内に、Ｓ１１で読み込んだファイルと同一名称のファイルが存在するか否か判定する（Ｓ１７）。存在しない場合（Ｓ１７：Ｎ）、そのフォルダに、Ｓ１１で読み込んだファイルを格納し（Ｓ１６）、Ｓ２１の処理に移行する。
【００３６】
一方、Ｓ１３で特定した撮影日のフォルダに、Ｓ１１で読み込んだファイルと同一名称のファイルが存在する場合（Ｓ１７：Ｙ）、同一性判断部１１２は、ファイルのヘッダが一致するか否かを調べることにより、ファイルの同一性を判断する処理を行う（Ｓ１８）。
【００３７】
図５は、ファイルの同一性を判断する処理の流れを示すフロー図である。
【００３８】
同一性判断部１１２は、比較元のファイル（図４のＳ１１で読み込んだファイル）のヘッダの先頭アドレスaddを取得する。なお、比較先のファイル（バックアップ用記録媒体５５に記録されている、比較元のファイルと同一名称のファイル）のヘッダの先頭アドレスを取得するようにしてもよい。
【００３９】
次に、同一性判断部１１２は、比較元のファイルのアドレスaddの値と、比較先のファイルのアドレスaddの値をそれぞれ読み込む（Ｓ３２、Ｓ３３）。
【００４０】
そして、同一性判断部１１２は、両者の値が同じか否か判定する（Ｓ３４）。同じでない場合（Ｓ３４：Ｎ）、比較元のファイルと比較先のファイルは非同一と判断し（Ｓ３５）、処理を終了する。
【００４１】
一方、両者の値が同じ場合（Ｓ３４：Ｙ）、同一性判断部１１２は、アドレスaddがヘッダの最後であるか否か判定する（Ｓ３６）。そして、最後である場合（Ｓ３６：Ｙ）、同一ファイルと判断し（Ｓ３７）、処理を終了する。
【００４２】
一方、アドレスaddが最後でない場合（Ｓ３６：Ｎ）、同一性判断部１１２は、アドレスaddをインクリメントし（Ｓ３８）、Ｓ３２の処理に戻る。
【００４３】
こうして、ファイルの同一性が判断される。
【００４４】
図４に戻って説明を続ける。バックアップ処理部１１３は、同一性判断部１１２によりファイルが同一であると判断された場合（Ｓ１９：Ｙ）、Ｓ２１の処理に移行する。一方、ファイルが非同一であると判断された場合（Ｓ１９：Ｎ）、Ｓ１１で読み込んだファイルを、ファイル名を変更した後、バックアップ用記録媒体５５のＳ１４で特定した撮影日のフォルダに格納する。
【００４５】
Ｓ２１では、バックアップ処理部１１３は、メモリカード４５に、次ぎのファイルが存在するか判定する。そして、存在する場合は、Ｓ１１に戻って処理を続ける。こうして、メモリカード４５内の全てのファイルについて、Ｓ１１〜Ｓ２０の処理がなされる。
【００４６】
図６は、メモリカード４５内のファイルがバックアップ用記録媒体５５であるＣＤ−Ｒにバックアップされる様子を説明する図である。
【００４７】
図示するように、１回目のバックアップでは、ＣＤ−Ｒに、撮影日に応じたフォルダ（「2005/11/01」、「2005/11/03」及び「2005/11/05」）８０が作成され、その撮影日のファイル８１がそれぞれ格納される。
【００４８】
２回目のバックアップでは、追加されたファイル（「AAAA0007.JPG」、「AAAA0008.JPG」及び「AAAA0009.JPG」）が、撮影日に応じて追加されたフォルダ（「2005/11/11」）に格納される。
【００４９】
３回目のバックアップでは、追加されたファイル（「AAAA0009.JPG」、及び「AAAA0010.JPG」が、撮影日に応じて追加されたフォルダ（「2005/11/16」）に格納される。
【００５０】
ここで、メモリカード４５内の「AAAA0003.JPG」が、デジタルカメラにより編集されていた場合について説明する。具体的には、「AAAA0003.JPG」が、ファイル名の変更はないものの、ユーザによりデジタルカメラの編集モードを利用して編集されていたとする。例えば、サイズ変更、レタッチ処理、向きの変更などの編集がなされていたとする。
【００５１】
かかる場合、ファイル名の変更はないものの、ヘッダは書き換わっている。したがって、図５で示したファイルの同一性の判断処理により、メモリカード４５の「AAAA0003.JPG」と、ＣＤ−Ｒに記録されている「AAAA0003.JPG」とが非同一であると判断される。そして、図４のＳ２０の処理により、例えば、「AAAB0003.JPG」とリネームされて、ＣＤ−Ｒに記録される。このとき、撮影日は元のままであるので、元の撮影日に対応するフォルダに格納される。
【００５２】
以上、本発明の一実施形態について説明した。
【００５３】
上記実施形態によれば、印刷装置は、重複するファイルをバックアップする対象から除外する。したがって、同一のファイルが重複してバックアップ用記録媒体に記録されることがない。
【００５４】
また、ファイル名のみから、同一か否か判断するのではなく、Ｅｘｉｆ形式のヘッダが一致するか否かによって判断する。したがって、ＤＣＦ規格により、異なる画像データでありながら同一のファイル名である場合においても、同一性を適切に判断することができる。
【００５５】
また、ユーザが画像を編集した場合は、ヘッダが変更されるので、異なるファイルとして確実にバックアップされる。
【００５６】
さらに、撮影日ごとのフォルダに格納されるので、ユーザにとって検索しやすいものとなる。
【００５７】
＜変形例＞
本発明は、上記実施形態に制限されない。上記実施形態は、本発明の技術的思想の範囲内で様々変形が可能である。
【００５８】
例えば、上記実施形態のように、ファイルの同一性の判断のためにヘッダをそのままチェックするのではなく、チェックサムやＣＲＣ（Cyclic Redundancy Check）値を利用することもできる。
【００５９】
図７は、かかる場合のファイルの同一性の判断の処理のフロー図である。
【００６０】
同一性判断部１１２は、ヘッダのアドレスを取得し（Ｓ５１）、比較元のファイルのヘッダと、比較先のファイルのヘッダとを、それぞれ読み込み、それぞれチェックサム（又はＣＲＣ値）を計算する（Ｓ５２、Ｓ５３）。
【００６１】
そして、両者のチェックサム（又は、ＣＲＣ値）が同じか否か判定し（Ｓ５４）、同じである場合（Ｓ５４：Ｙ）、同一ファイルと判断する。一方、異なる場合（Ｓ５４：Ｎ）、
非同一ファイルと判断する。
【００６２】
このようにすれば、処理を迅速に行うことができる。なお、チェックサムでは、２つ以上のデータが同時に変化を起こすと、それらが相殺されて正常状態とみなされてしまうことがあるが、ＣＲＣ値を用いれば、この問題を回避できる。
【００６３】
また、ヘッダを用いずに、ファイル全体から同一性を判断することもできる。
【００６４】
図８は、かかる場合のファイルの同一性の判断の処理のフロー図である。
【００６５】
同一性判断部１１２は、比較元のファイルの全ての部分（ヘッダ及び画像データの部分、又は画像データの部分のみでもよい）と、比較先のファイルの全ての部分とを、それぞれ読み込み、それぞれチェックサム（又はＣＲＣ値）を計算する（Ｓ６１、Ｓ６２）。
【００６６】
そして、両者のチェックサム（又は、ＣＲＣ値）が同じか否か判定し（Ｓ６３）、同じである場合（Ｓ６３：Ｙ）、同一ファイルと判断する。一方、異なる場合（Ｓ６４：Ｎ）、非同一ファイルと判断する。
【００６７】
こうすれば、Ｅｘｉｆ形式のヘッダが存在しないファイルに対しても同一性を判断することができる。
【００６８】
なお、上記実施形態では、バックアップのための処理を行う装置が、ダイレクト印刷が可能な印刷装置である場合について説明したが、本発明は、これに限定されない。
【００６９】
パーソナルコンピュータなどの情報処理装置が、上記で説明したバックアップ処理を行うようにしてもよい。また、パーソナルコンピュータが、印刷装置と接続されており、印刷装置に装着されたメモリカードからファイルを読み込み、ＣＤ−Ｒなどのバックアップ用記録媒体にバックアップするようにしてもよい。この場合にも、重複書き込みを防止するために本発明を適用することができる。
【００７０】
また、バックアップ元の記録媒体は、メモリカードに限定されず、デジタルカメラに装着可能な可搬性の記録媒体、例えば、ＵＳＢメモリ、小型ハードディスクなどであってもよい。
【００７１】
また、印刷装置は、プリンタに限らず、コピー、スキャナ、ファクシミリなどの機能を備えた複合機であってもよい。
【図面の簡単な説明】
【００７２】
【図１】印刷装置の一例を示すブロック図。
【図２】コントローラの機能構成の一例を示すブロック図。
【図３】Ｅｘｉｆファイルの構成図。
【図４】バックアップ処理のフロー図。
【図５】ファイルの同一性の判断の処理のフロー図。
【図６】バックアップの様子を説明するための図。
【図７】ファイルの同一性の判断の処理のフロー図。
【図８】ファイルの同一性の判断の処理のフロー図。
【図９】従来のバックアップの様子を説明するための図。
【符号の説明】
【００７３】
１０…コントローラ、１０１…ＣＰＵ、１０２…ＲＯＭ、１０３…ＲＡＭ、１０５…インタフェース、１０６…システムバス、
２０…操作パネル、
３０…印刷エンジン、
４０…メモリカード読書装置、４５…メモリカード、
５０…バックアップ用記録媒体読書装置、５５…バックアップ用記録媒体、
１１１…指示解析装置、１１２…同一性判断部、１１３…バックアップ処理部
【図１】
2007172113.tif 000003
【図２】
2007172113.tif 000004
【図３】
2007172113.tif 000005
【図４】
2007172113.tif 000006
【図５】
2007172113.tif 000007
【図６】
2007172113.tif 000008
【図７】
2007172113.tif 000009
【図８】
2007172113.tif 000010
【図９】
2007172113.tif 000011